(57)【要約】【課題】デジタルサイネージに表示される広告を管理するための技術を提供する。【解決手段】広告管理サーバ１２０は、電子看板１３１を有する移動表示媒体１３０に一つ以上の広告１４０を表示させ、移動表示媒体１３０の位置情報を取得し、撮影機能を有する移動通信端末１５０から、移動表示媒体１３０に表示されている広告１４０の撮影画像と、撮影画像が取得された位置情報とを受信し、移動表示媒体１３０の位置情報と、移動通信端末１５０の位置情報とに基づいて、広告１４０が移動通信端末１５０のユーザに視認されたことが確認された場合に、移動表示媒体１３０の管理者と、移動通信端末１５０のユーザとに対して、広告１４０の視認について予め定められた対価データを付与する。【選択図】図１
2018200616.tif 000002
【特許請求の範囲】
【請求項１】
広告を管理するためにコンピュータが実行する方法であって、
通信機能を有する少なくとも一の移動表示媒体に一つ以上の広告を表示させるステップと、
前記少なくとも一の移動表示媒体の位置情報を取得するステップと、
撮影機能を有する移動通信端末から、前記少なくとも一の移動表示媒体に表示されている広告の撮影画像と、前記撮影画像が取得された位置情報とを受信するステップと、
前記少なくとも一の移動表示媒体の位置情報と、前記移動通信端末の位置情報とに基づいて、前記広告が前記移動通信端末のユーザに視認されたことが確認された場合に、前記少なくとも一の移動表示媒体の管理者と、前記移動通信端末のユーザとに対して、前記広告の視認について予め定められた対価データを付与するステップとを含む、方法。
【請求項２】
前記広告が前記移動通信端末のユーザに視認されることは、前記撮影画像が前記移動通信端末のユーザのソーシャルネットワークサービスのアカウントに掲載されることを含む、請求項１に記載の方法。
【請求項３】
前記広告が前記移動通信端末のユーザに視認されることは、前記少なくとも一の移動表示媒体と前記移動通信端末とが予め定められた範囲内に存在していることの確認を含む、請求項１に記載の方法。
【請求項４】
前記少なくとも一の移動表示媒体に広告を表示させるステップは、複数の移動表示媒体のそれぞれに広告を表示させるステップを含み、
前記少なくとも一の移動表示媒体からその位置情報を受信するステップは、各前記移動表示媒体からそれぞれの位置情報を受信することを含み、
前記移動通信端末から、前記撮影画像と前記位置情報とを受信するステップは、各前記移動表示媒体に表示された広告の撮影画像と、当該撮影画像が取得された位置情報とをそれぞれ受信することを含み、
前記広告が前記移動通信端末のユーザに視認されたことの確認は、各前記移動表示媒体に表示された全ての広告が前記ユーザに視認されたことの確認を含む、請求項１に記載の方法。
【請求項５】
前記複数の移動表示媒体のそれぞれに広告を表示させるステップは、異なる広告を各前記移動表示媒体に表示させることを含み、
前記方法は、前記異なる広告のそれぞれの撮影画像の受信結果に基づいて、前記移動通信端末に視認されている数が多い広告を、前記移動通信端末によって視認されている数が少ない広告を表示していた移動表示媒体に表示させるステップをさらに含む、請求項１に記載の方法。
【請求項６】
前記複数の移動表示媒体のそれぞれに広告を表示させるステップは、異なる広告を各前記移動表示媒体に表示させることを含み、
前記方法は、前記異なる広告のそれぞれの撮影画像が前記移動通信端末によって視認された数に応じて、当該広告の表示時間を変更するステップをさらに含む、請求項１に記載の方法。
【請求項７】
前記広告が前記移動通信端末のユーザに視認されたことの確認は、前記広告の撮影画像が取得された時刻と、前記撮影画像を受信した時刻との差が、予め規定された範囲内であることの確認を含む、請求項１に記載の方法。
【請求項８】
広告を管理するためにコンピュータが実行するプログラムであって、前記プログラムは前記コンピュータに、
通信機能を有する少なくとも一の移動表示媒体に一つ以上の広告を表示させるステップと、
前記少なくとも一の移動表示媒体の位置情報を取得するステップと、
撮影機能を有する移動通信端末から、前記少なくとも一の移動表示媒体に表示されている広告の撮影画像と、前記撮影画像が取得された位置情報とを受信するステップと、
前記少なくとも一の移動表示媒体の位置情報と、前記移動通信端末の位置情報とに基づいて、前記広告が前記移動通信端末のユーザに視認されたことが確認された場合に、前記少なくとも一の移動表示媒体の管理者と、前記移動通信端末のユーザとに対して、前記広告の視認について予め定められた対価データを付与するステップとを実行させる、プログラム。
【請求項９】
前記広告が前記移動通信端末のユーザに視認されることは、前記撮影画像が前記移動通信端末のユーザのソーシャルネットワークサービスのアカウントに掲載されることを含む、請求項８に記載のプログラム。
【請求項１０】
前記広告が前記移動通信端末のユーザに視認されることは、前記少なくとも一の移動表示媒体と前記移動通信端末とが予め定められた範囲内に存在していることの確認を含む、請求項８に記載のプログラム。
【請求項１１】
前記少なくとも一の移動表示媒体に広告を表示させるステップは、複数の移動表示媒体のそれぞれに広告を表示させることを含み、
前記少なくとも一の移動表示媒体からその位置情報を受信するステップは、各前記移動表示媒体からそれぞれの位置情報を受信することを含み、
前記移動通信端末から、前記撮影画像と前記位置情報とを受信するステップは、各前記移動表示媒体に表示された広告の撮影画像と、当該撮影画像が取得された位置情報とをそれぞれ受信することを含み、
前記広告が前記移動通信端末のユーザに視認されたことの確認は、各前記移動表示媒体に表示された全ての広告が前記ユーザに視認されたことの確認を含む、請求項８に記載のプログラム。
【請求項１２】
前記複数の移動表示媒体のそれぞれに広告を表示させるステップは、異なる広告を各前記移動表示媒体に表示させることを含み、
前記プログラムは前記コンピュータに、前記異なる広告のそれぞれの撮影画像の受信結果に基づいて、前記移動通信端末に視認されている数が多い広告を、前記移動通信端末によって視認されている数が少ない広告を表示していた移動表示媒体に表示させるステップをさらに実行させる、請求項８に記載のプログラム。
【請求項１３】
前記複数の移動表示媒体のそれぞれに広告を表示させるステップは、異なる広告を各前記移動表示媒体に表示させることを含み、
前記プログラムは前記コンピュータに、前記異なる広告のそれぞれの撮影画像が前記移動通信端末によって視認された数に応じて、当該広告の表示時間を変更するステップをさらに実行させる、請求項８に記載のプログラム。
【請求項１４】
前記広告が前記移動通信端末のユーザに視認されたことの確認は、前記広告の撮影画像が取得された時刻と、前記撮影画像を受信した時刻との差が、予め規定された範囲内であることの確認を含む、請求項８に記載のプログラム。
【請求項１５】
移動通信端末を制御するためのプログラムであって、前記プログラムは前記移動通信端末のプロセッサに、
移動表示媒体に表示されている広告を撮影するステップと、
広告が撮影された時の前記移動通信端末の位置情報を取得するステップと、
前記移動通信端末のユーザのソーシャルネットワークサービスのアカウントを管理するためのサーバに、前記広告の撮影画像と、前記広告が撮影された時を表わす日時情報と、前記位置情報と、前記移動通信端末のユーザの識別情報とを送信して、撮影画像をアカウントに表示するステップと、
撮影画像がアカウントに表示された場合に、前記移動表示媒体の位置情報と前記移動通信端末の位置情報とを参照することにより前記広告の撮影画像がユーザによって撮影されたことが前記サーバに確認されたことに基づいて、前記広告の視認に対する対価が付与されたことの通知を受信するステップとを実行させる、プログラム。
【請求項１６】
前記広告を撮影するステップは、複数の移動表示媒体にそれぞれ表示されている各広告を撮影することを含み、
前記位置情報を取得するステップは、各前記広告が撮影された時の前記移動通信端末の位置情報をそれぞれ取得することを含み、
前記撮影画像をアカウントに表示するステップは、前記サーバに、各前記広告の撮影画像と、各前記日時情報と、各前記位置情報と、前記識別情報とを送信して、各前記撮影画像を前記アカウントに表示することを含み、
前記通知を受信するステップは、各前記広告の視認に対する対価が付与されたことの通知を受信することを含む、請求項１５に記載のプログラム。
【発明の詳細な説明】
【技術分野】
【０００１】
本開示は広告の管理に関し、より特定的には、移動体に表示される広告の管理に関する。
【背景技術】
【０００２】
広告に関し、例えば、特開２００１−３４３２４９号公報（特許文献１）は、「ドライバが店舗を選択しやすく、広告主に合理的に広告料金を課金する」ための技術を開示している（［要約］の［課題］参照）。当該技術は、「複数の車両に設置され、識別情報を有し、車両の位置を検出する位置検出手段を備える車載端末と、各車載端末に通信を介して接続され、広告情報を格納したデータベースを備える広告情報提供端末とから構成されたシステムであって、広告情報提供端末は、車載端末から識別情報と車両の位置を示す車両位置情報とを受信し、車両位置情報と広告対象店舗の位置を示す店舗位置情報とに基づいて、広告情報をデータベースから抽出し、抽出した広告情報を識別情報が特定する車載端末に送信する。車載端末は広告情報を表示する手段と、広告された店舗に到着したことを示す到着情報を広告情報提供端末に送信する手段とを更に備える。広告情報提供端末は、受信した到着情報に応答して店舗の広告主に広告料金を課金する手段を更に備える」というものである（［要約］の［解決手段］参照）。
【先行技術文献】
【特許文献】
【０００３】
【特許文献１】特開２００１−３４３２４９号公報
【発明の概要】
【発明が解決しようとする課題】
【０００４】
特許文献１に開示された技術によると、「広告主に広告情報による効果に基づいて定められた広告料を課金する広告料課金方法を提供でき」、「広告主は、広告情報の効果を把握しやすい」というものである（段落００７８参照）。
【０００５】
しかしながら、特許文献１に開示された技術によると、広告の対象は、車両のユーザに限られるため、例えば歩行者に対する広告の効果を把握することができず、広告の効果が限定的なものとなる。また、広告の効果を高めようとすると広告費用が上昇する可能性もある。したがって、広告費用の上昇を抑制するための技術が必要とされている。また、広告の効果を高める技術が必要とされている。
【課題を解決するための手段】
【０００６】
ある実施の形態に従うと、広告を管理するためにコンピュータが実行するプログラムが提供される。当該プログラムは当該コンピュータに、通信機能を有する少なくとも一の移動表示媒体に一つ以上の広告を表示させるステップと、当該少なくとも一の移動表示媒体の位置情報を取得するステップと、撮影機能を有する移動通信端末から、当該少なくとも一の移動表示媒体に表示されている広告の撮影画像と、当該撮影画像が取得された位置情報とを受信するステップと、当該少なくとも一の移動表示媒体の位置情報と、当該移動通信端末の位置情報とに基づいて、当該広告が当該移動通信端末のユーザに視認されたことが確認された場合に、当該少なくとも一の移動表示媒体の管理者と、当該移動通信端末のユーザとに対して、当該広告の視認について予め定められた対価データを付与するステップとを実行させる。
【０００７】
ある局面に従うと、移動表示媒体に表示されている広告の画像が移動通信端末のユーザによって実際に視認されたことが確認できるので、広告の効果が高まり得る。
【０００８】
その他の課題と新規な特徴は、本明細書の記述および添付図面から明らかになるであろう。
【図面の簡単な説明】
【０００９】
【図１】システム１０の概略構成を表わす図である。
【図２】ある局面に従うユーザのＳＮＳのアカウントの画面の一例を表わす図である。
【図３】ある局面に従うコンピュータ３００のハードウェア構成を表わすブロック図である。
【図４】端末４００のハードウェア構成を表わすブロック図である。
【図５】移動通信端末１５０のモニタ３５に表示される画面の推移を表わす図である。
【図６】コンピュータ３００のハードディスク５におけるデータの格納の一態様を概念的に表す図である。
【図７】広告管理サーバ１２０と移動表示媒体１３０と移動通信端末１５０とが実行する処理の一部を表わすフローチャートである。
【図８】システム１０を構成する広告管理サーバ１２０と移動表示媒体１３０と移動通信端末１５０との動作を表わす図である。
【図９】ユーザ１５１が複数の車両のそれぞれにおいて広告主１１０による広告を視認した場合の態様を表わす図である。
【図１０】複数の移動表示媒体１３０にそれぞれ表示される広告が複数の移動通信端末１５０によって視認される態様を表わす図である。
【発明を実施するための形態】
【００１０】
以下、図面を参照しつつ、本発明の実施の形態について説明する。以下の説明では、同一の部品には同一の符号を付してある。それらの名称および機能も同じである。したがって、それらについての詳細な説明は繰り返さない。
［システム構成］
図１を参照して、ある実施の形態に従うシステム１０の構成について説明する。図１は、システム１０の概略構成を表わす図である。システム１０は、広告主１１０と、広告管理サーバ１２０と、移動表示媒体１３０と、移動通信端末１５０と、ユーザコンピュータ１６０とを備える。移動表示媒体１３０は、電子看板１３１と、コントローラ１３２と、通信インターフェイス１３３と、ストレージ１３４とを備える。
【００１１】
広告主１１０は、レストラン、販売店、喫茶店その他の小売店、美容院、エステ、自動車修理業者その他のサービス事業者等であるが、業態はこれらに限られない。
【００１２】
広告管理サーバ１２０は、宣伝広告を行なう事業者によって運営される。当該事業者は、広告主１１０からの委託に基づき宣伝広告を行なう。事業者は、広告代理店、ソーシャルネットワークサービス（以下「ＳＮＳ」ともいう。）の提供者その他の事業者を含む。
【００１３】
例えば、広告主１１０は、広告管理サーバ１２０に、自社の宣伝広告を依頼する。このとき、広告主１１０は、宣伝したい情報を広告データの形態で広告管理サーバ１２０に渡す。あるいは、広告管理サーバ１２０は、広告主１１０の要請に基づき、広告主１１０を宣伝するための広告データを作成する。広告管理サーバ１２０は、広告データを移動表示媒体１３０に配信する。
【００１４】
移動表示媒体１３０は、自転車、バイク、乗用車、マイクロバス、路線バス、鉄道、メトロ、航空機、船舶その他の移動車両として実現される。移動表示媒体１３０は、移動車両の所有者その他の管理者１３５によって管理される。管理者１３５は、移動車両を用いて輸送業を営む事業者、および、一般ユーザのいずれであってもよい。
【００１５】
電子看板１３１は、デジタルサイネージとも呼ばれ、例えば、液晶モニタ、有機ＥＬ（Electro  Luminescence）モニタその他の電子表示媒体によって実現される。電子看板１３１は、移動表示媒体１３０に与えられたデータを用いて、広告１４０を表示し得る。データの授受は、移動表示媒体１３０が備える通信機能により、あるいは、ストレージ１３４にデータを書き込むことにより実現される。ある局面において、管理者１３５は、広告主１１０の依頼に基づき、広告１４０の表示場所として、移動表示媒体１３０を提供する。
【００１６】
コントローラ１３２は、電子看板１３１における広告１４０の表示を制御する。例えば、コントローラ１３２は、通信インターフェイス１３３を介して広告管理サーバ１２０と通信し、広告１４０を表示するための広告データを受信する。コントローラ１３２は、当該広告データを用いて、広告１４０を電子看板１３１に表示する。別の局面において、コントローラ１３２は、広告管理サーバ１２０から受信した表示時間データを用いて、広告１４０の表示時間を制御する。別の局面において、コントローラ１３２は、広告データに基づく広告１４０に加えて、移動表示媒体１３０の識別情報、あるいは、広告１４０の識別情報を電子看板１３１に表示し得る。このような構成によれば、複数の広告１４０が複数の移動表示媒体１３０において表示される場合に、広告管理サーバ１２０は、移動通信端末１５０によって視認された広告１４０がどの移動表示媒体に表示されていたものであるかを容易に確認できる。
【００１７】
ストレージ１３４は、広告１４０を表示するためのデータ、移動表示媒体１３０の識別情報、移動表示媒体１３０の位置情報、走行履歴等を保存する。ストレージ１３４は、ハードディスク、ＳＳＤ（Solid  State  Drive）その他の不揮発性の記憶装置として実現される。別の局面において、ストレージ１３４は、着脱可能なデータ記録媒体によって実現されてもよい。
【００１８】
通信インターフェイス１３３は、広告管理サーバ１２０、移動通信端末１５０その他の情報通信装置と通信する。なお、ある局面において、コントローラ１３２と通信インターフェイス１３３とストレージ１３４とは、スマートフォンのような移動通信端末が備えるプロセッサと通信装置と記憶装置によって実現されてもよい。
【００１９】
移動表示媒体１３０は、走行中、予め定められた時間間隔で位置情報を取得する。位置情報は、例えば、少なくとも４つ以上のＧＰＳ（Global  Positioning  System）衛星からそれぞれ受信したＧＰＳ信号から取得される。位置情報は、時刻も含む。別の局面では、予め定められた場所の位置を知らせるために当該場所に設置された送信機から発信される信号が、移動表示媒体１３０によって受信され、受信された信号が当該位置情報として用いられてもよい。取得された位置情報は、移動表示媒体１３０の識別情報とともに、広告管理サーバ１２０に送信される。
【００２０】
別の局面において、移動表示媒体１３０は、予め定められた場所に来た時に、その時の時刻と位置情報とを取得し、取得したデータを広告管理サーバ１２０に送信する。予め定められた場所は、例えば、バスの停留所、交差点、駐車場、駐輪場、ショッピングモール、駅、空港等である。
【００２１】
例えば、移動表示媒体１３０が路線バスである場合、移動表示媒体１３０は、停留所や交差点で停止する。このとき、歩行者その他のユーザは移動表示媒体１３０を視認する。広告１４０が移動表示媒体１３０のボディに表示されているとき、ユーザは、広告１４０を視認する可能性がある。多くのユーザは、移動通信端末１５０を所有している。移動通信端末１５０は、例えば、スマートフォン、タブレット端末その他の携帯可能な情報通信端末である。さらに、移動通信端末１５０の多くは、カメラと位置情報取得機能とを備えている。広告１４０に注意をひかれたユーザが移動通信端末１５０を用いて広告１４０を撮影する。このとき、移動通信端末１５０は、少なくとも４つ以上のＧＰＳ衛星からそれぞれ受信したＧＰＳ信号を用いて、移動通信端末１５０の位置情報を取得する。
【００２２】
移動通信端末１５０を使用するユーザ１５１は、例えば、フェイスブック（登録商標）、ＬＩＮＥ（登録商標）その他のＳＮＳを利用している場合がある。ある局面において、当該ユーザがＳＮＳにアカウントを所有している場合、ユーザ１５１は、移動通信端末１５０からそのアカウントにアクセスして、広告１４０の写真をアップロードする場合がある。当該ＳＮＳが広告管理サーバ１２０によって運営されている場合、あるいは、ＳＮＳが広告管理サーバ１２０に連携している場合、ユーザ１５１は、自身のアカウントに当該写真をアップロードする。このとき、移動通信端末１５０の位置情報も写真と共に広告管理サーバ１２０に送信される。
【００２３】
広告管理サーバ１２０は、移動通信端末１５０から、広告１４０の撮影画像データと、移動通信端末１５０の位置情報および識別情報とを受信する。広告管理サーバ１２０は、受信した各データと、受信日時を表わすタイムスタンプとを記憶装置に格納する。広告管理サーバ１２０は、識別情報に基づいて、写真と位置情報との送信者を特定する。広告管理サーバ１２０は、写真が撮影された場所と時間とを検索キーとして、移動表示媒体１３０から送られた位置情報の中から、当該場所の位置情報を検索する。広告管理サーバ１２０は、移動通信端末１５０が広告１４０を撮影した場所および時刻に、移動表示媒体１３０が存在していたことを確認すると、広告１４０が実際に移動通信端末１５０のユーザ１５１に視認されたと判定する。移動表示媒体１３０は、広告１４０の視認に応じて予め定められた報酬（例えば、金銭、ポイント、クーポン等）を移動表示媒体１３０および移動通信端末１５０にそれぞれ支払う。広告管理サーバ１２０は、広告１４０を視認したユーザ１５１の情報を広告主１１０に送信する。さらに、広告管理サーバ１２０は、広告１４０が実際にユーザに視認された回数に基づく料金を計算し、広告主１１０に通知する。このような態様によれば、広告費は実績ベースで計算されることになり、初期費用を抑えることで初期費用の負担に躊躇する広告主１１０に対しても、負担が抑制された広告サービスを提供することができる。
【００２４】
ユーザコンピュータ１６０は、広告管理サーバ１２０からデータを受領して、複数のユーザの各々によってアップロードされた画像と位置情報とに基づいて、ビッグデータ解析を実行し得る。
【００２５】
［ＳＮＳのアカウントの画面例］
図２を参照して、移動通信端末１５０その他の端末に表示される画面について説明する。図２は、ある局面に従うユーザのＳＮＳのアカウントの画面の一例を表わす図である。この画面は、例えば、広告１４０を撮影したユーザが広告管理サーバ１２０に写真をアップロードした後にＳＮＳのアカウントにアクセスした場合に表示される。
【００２６】
移動通信端末１５０に表示される画面は、ユーザ名２１０と、撮影日時２２０と、撮影場所２３０と、写真の画像２４０と、当該ユーザのコメント２５０と、当該ユーザとつながりがある他のユーザのコメント２６０と、ＳＮＳの運営者によるコメント２７０とを含む。なお、この画面は、移動通信端末１５０にのみ表示されるものではなく、タブレット端末、パーソナルコンピュータその他の情報処理装置に表示され得る。
【００２７】
［コンピュータのハードウェア構成］
図３を参照して、広告管理サーバ１２０およびユーザコンピュータ１６０のハードウェア構成について説明する。広告管理サーバ１２０およびユーザコンピュータ１６０は、周知の構成を有するコンピュータ３００によって実現される。図３は、ある局面に従うコンピュータ３００のハードウェア構成を表わすブロック図である。
【００２８】
コンピュータ３００は、主たる構成要素として、プログラムを実行するＣＰＵ（Central  Processing  Unit）１と、コンピュータ３００のユーザによる指示の入力を受けるマウス２およびキーボード３と、ＣＰＵ１によるプログラムの実行により生成されたデータ、又はマウス２若しくはキーボード３を介して入力されたデータを揮発的に格納するＲＡＭ４と、データを不揮発的に格納するハードディスク５と、光ディスク駆動装置６と、モニタ８と、通信インターフェイス７とを備える。各構成要素は、相互にバスによって接続されている。光ディスク駆動装置６には、ＣＤ−ＲＯＭ９その他の光ディスクが装着される。通信インターフェイス７は、ＵＳＢ（Universal  Serial  Bus）インターフェイス、有線ＬＡＮ（Local  Area  Network）、無線ＬＡＮ、Bluetooth（登録商標）インターフェイス等を含むが、これらに限られない。
【００２９】
コンピュータ３００における処理は、各ハードウェアおよびＣＰＵ１により実行されるソフトウェアによって実現される。このようなソフトウェアは、ハードディスク５に予め格納されている場合がある。また、ソフトウェアは、ＣＤ−ＲＯＭ９その他のコンピュータ読み取り可能な不揮発性のデータ記録媒体に格納されて、プログラム製品として流通している場合もある。あるいは、当該ソフトウェアは、インターネットその他のネットワークに接続されている情報提供事業者によってダウンロード可能なプログラム製品として提供される場合もある。このようなソフトウェアは、光ディスク駆動装置６その他のデータ読取装置によってデータ記録媒体から読み取られて、あるいは、通信インターフェイス７を介してダウンロードされた後、ハードディスク５に一旦格納される。そのソフトウェアは、ＣＰＵ１によってハードディスク５から読み出され、ＲＡＭ４に実行可能なプログラムの形式で格納される。ＣＰＵ１は、そのプログラムを実行する。
【００３０】
図３に示されるコンピュータ３００を構成する各構成要素は、一般的なものである。したがって、本実施の形態に係る最も本質的な部分は、コンピュータ３００に格納されたプログラムであるともいえる。コンピュータ３００の各ハードウェアの動作は周知であるので、詳細な説明は繰り返さない。
【００３１】
なお、データ記録媒体としては、ＣＤ−ＲＯＭ、ＦＤ（Flexible  Disk）、ハードディスクに限られず、磁気テープ、カセットテープ、光ディスク（ＭＯ（Magnetic  Optical  Disc）／ＭＤ（Mini  Disc）／ＤＶＤ（Digital  Versatile  Disc））、ＩＣ（Integrated  Circuit）カード（メモリカードを含む）、光カード、マスクＲＯＭ、ＥＰＲＯＭ（Electronically  Programmable  Read-Only  Memory）、ＥＥＰＲＯＭ（Electronically  Erasable  Programmable  Read-Only  Memory）、フラッシュＲＯＭなどの半導体メモリ等の固定的にプログラムを担持する不揮発性のデータ記録媒体でもよい。
【００３２】
ここでいうプログラムとは、ＣＰＵ１により直接実行可能なプログラムだけでなく、ソースプログラム形式のプログラム、圧縮処理されたプログラム、暗号化されたプログラム等を含み得る。
【００３３】
［情報通信端末のハードウェア構成］
図４を参照して、移動通信端末１５０を実現する端末４００の構成について説明する。図４は、端末４００のハードウェア構成を表わすブロック図である。ある局面において、端末４００は、スマートフォンその他の携帯電話装置として実現される。
【００３４】
端末４００は、ＣＰＵ（Central  Processing  Unit）２０と、アンテナ２３と、通信装置２４と、入力スイッチ２５と、カメラ２６と、フラッシュメモリ２７と、ＲＡＭ（Random  Access  Memory）２８と、ＲＯＭ（Read-Only  Memory）２９と、メモリカード駆動装置３０と、マイク３２と、スピーカ３３と、音声信号処理回路３４と、モニタ３５と、ＬＥＤ（Light  Emitting  Diode）３６と、通信インターフェイス３７と、バイブレータ３８と、ＧＰＳアンテナ３９と、ＧＰＳモジュール４０と、加速度センサ４１と、地磁気センサ４２とを備える。メモリカード駆動装置３０には、メモリカード３１が装着され得る。
【００３５】
アンテナ２３は、携帯電話の基地局によって発信される信号を受信し、または、基地局を介して他の通信装置と通信するための信号を送信する。アンテナ２３によって受信された信号は、通信装置２４によってフロントエンド処理が行なわれ、処理後の信号は、ＣＰＵ２０に送られる。
【００３６】
ＣＰＵ２０は、端末４００に対して与えられる命令に基づいて端末４００の動作を制御するための処理を実行する。端末４００が信号を受信すると、ＣＰＵ２０は、通信装置２４から送られた信号に基づいて予め規定された処理を実行し、処理後の信号を音声信号処理回路３４に送出する。音声信号処理回路３４は、その信号に対して予め規定された信号処理を実行し、処理後の信号をスピーカ３３に送出する。スピーカ３３は、その信号に基づいて音声を出力する。
【００３７】
入力スイッチ２５は、端末４００に対する命令の入力を受け付ける。入力スイッチ２５は、タッチセンサ、端末４００の筐体に設けられたボタン等により実現される。入力された命令に応じた信号は、ＣＰＵ２０に入力される。
【００３８】
マイク３２は、端末４００に対する発話を受け付けて、発話された音声に対応する信号を音声信号処理回路３４に対して送出する。音声信号処理回路３４は、その信号に基づいて通話のために予め規定された処理を実行し、処理後の信号をＣＰＵ２０に対して送出する。ＣＰＵ２０は、その信号を送信用のデータに変換し、変換後のデータを通信装置２４に対して送出する。通信装置２４は、そのデータを用いて送信用の信号を生成し、アンテナ２３に向けてその信号を送出する。
【００３９】
フラッシュメモリ２７は、データを不揮発的に格納する。格納されるデータは、ＳＮＳデータ、写真その他の画像データ、位置情報等を含む。ＣＰＵ２０は、フラッシュメモリ２７に格納されているデータを読み出し、そのデータを用いて予め規定された処理を実行する。
【００４０】
ＲＡＭ２８は、入力スイッチ２５に対して行なわれた操作に基づいてＣＰＵ２０によって生成されるデータを一時的に保持する。ＲＯＭ２９は、端末４００に予め定められた動作を実行させるためのプログラムあるいはデータを格納している。ＣＰＵ２０は、ＲＯＭ２９から当該プログラムまたはデータを読み出し、端末４００の動作を制御する。
【００４１】
メモリカード駆動装置３０は、メモリカード３１に格納されているデータを読み出し、ＣＰＵ２０に送出する。メモリカード駆動装置３０は、ＣＰＵ２０によって出力されるデータを、メモリカード３１の記憶領域に書き込む。
【００４２】
音声信号処理回路３４は、上述のような通話のための信号処理を実行する。なお、図４に示される例では、ＣＰＵ２０と音声信号処理回路３４とが別個の構成として示されているが、他の局面において、ＣＰＵ２０と音声信号処理回路３４とが一体として構成されていてもよい。
【００４３】
モニタ３５は、例えば、タッチ操作式のモニタである。モニタ３５は、液晶モニタ、有機ＥＬモニタのいずれであってもよい。モニタ３５は、ＣＰＵ２０から取得されるデータに基づいて、当該データによって規定される画像を表示する。たとえば、フラッシュメモリ２７に格納されている静止画、動画、地図などを表示する。
【００４４】
ＬＥＤ３６は、ＣＰＵ２０から出力される信号に基づいて発光する。ある局面において、通信インターフェイス３７は、ＷｉＦｉ、Bluetooth（登録商標）、ＮＦＣ（Near  Field  Communication）等により実現される。別の局面において、通信インターフェイス３７は、データ通信用のケーブルの装着を受け付ける。通信インターフェイス３７は、ＣＰＵ２０から出力される信号を発信する。あるいは、通信インターフェイス３７は、端末４００の外部から受信した信号に含まれるデータを、ＣＰＵ２０に対して送信する。
【００４５】
バイブレータ３８は、ＣＰＵ２０から出力される信号に基づいて、予め定められた周波数で発振動作を実行する。
【００４６】
ＧＰＳアンテナ３９は、４つ以上の衛星からそれぞれ送信されるＧＰＳ信号を受信する。受信された各ＧＰＳ信号は、ＧＰＳモジュール４０に入力される。ＧＰＳモジュール４０は、各ＧＰＳ信号と公知の技術とを用いて測位処理を実行し、端末４００の位置情報を取得する。
【００４７】
加速度センサ４１は、端末４００に作用する加速度を検出する。ある局面において、加速度センサ４１は、３軸加速度センサとして実現される。検出された加速度は、ＣＰＵ２０に入力される。ＣＰＵ２０は、この加速度に基づいて、端末４００の動きや姿勢（傾き）を検出する。
【００４８】
地磁気センサ４２は、端末４００が向いている方角を検出する。この検出により取得された情報は、ＣＰＵ２０に入力される。
【００４９】
［構成の概要］
ここで、本開示に係る技術思想に基づく構成例について説明する。
【００５０】
（第１構成例）  ある実施の形態に従うと、広告１４０を管理するためにコンピュータ３００が実行する方法が提供される。この方法では、コンピュータ３００が、通信機能を有する少なくとも一の移動表示媒体１３０に一つ以上の広告１４０を表示させる。例えば、コンピュータ３００は、移動表示媒体１３０に広告１４０の電子データを送信し、移動表示媒体１３０は、その電子データを用いて広告１４０を電子看板１３１に表示する。
【００５１】
コンピュータ３００は、少なくとも一の移動表示媒体１３０の位置情報を取得する。例えば、コンピュータ３００は、移動表示媒体１３０から位置情報を受信する。あるいは、コンピュータ３００は、移動表示媒体１３０の移動スケジュールと、時刻情報とに基づいて、当該位置情報を取得する。
【００５２】
コンピュータ３００は、移動通信端末１５０から、少なくとも一の移動表示媒体１３０に表示されている広告１４０の撮影画像と、撮影画像が取得された位置情報とを受信する。撮影画像を受信するタイミングと位置情報を受信するタイミングとは、同じでも異なってもよい。
【００５３】
コンピュータ３００は、少なくとも一の移動表示媒体１３０の位置情報と、移動通信端末１５０の位置情報とに基づいて、広告１４０が移動通信端末１５０のユーザに視認されたか否かを判定する。例えば、コンピュータ３００は、撮影画像が取得された位置情報と、移動表示媒体１３０の位置情報とを比較し、移動通信端末１５０が移動表示媒体１３０の近傍に存在していたかどうかを判断する。コンピュータ３００は、移動通信端末１５０が移動表示媒体１３０の近傍に存在していると判断した場合には、広告１４０が移動通信端末１５０のユーザによって実際にその場で視認されたと判断する。コンピュータ３００は、その判断に基づき、少なくとも一の移動表示媒体１３０の管理者と、移動通信端末１５０のユーザとに対して、広告１４０の視認について予め定められた対価データを付与する。例えば、コンピュータ３００が管理するデータベースにおいて、当該管理者のアカウントと、当該ユーザのアカウントに、対価データをそれぞれ関連付ける。コンピュータ３００は、対価データの付与が行なわれたことを、移動表示媒体１３０の管理者と、移動通信端末１５０のユーザ１５１に通知する。
【００５４】
このような構成によれば、移動表示媒体１３０に表示された広告１４０が実際に他人（例えば、移動通信端末１５０のユーザ）によって視認されたことが確認された場合に、広告料が広告主１１０に請求される。したがって、デジタルサイネージを用いた広告における視認を認証しつつ効果的な広告が実現され得る。また、移動表示媒体１３０の管理者と移動通信端末１５０のユーザに対価が支払われる。このようにすると、広告１４０が実際に視認されたことに対して広告費用が発生することになり、広告主１１０の負担が広告の効果に見合ったものとなる。また、広告を視認することにより報酬が得られることにより、積極的に広告を探そうとする動機付けが各ユーザにもたらされ得る。
【００５５】
（第２構成例）  他の実施の形態に従うと、広告１４０が移動通信端末１５０のユーザに視認されることは、撮影画像が移動通信端末１５０のユーザのＳＮＳのアカウントに掲載されることを含む。例えば、ユーザが撮影画像をＳＮＳのアカウントにアップロードすると、当該撮影画像がアップロードされたことがコンピュータ３００に通知される。コンピュータ３００は、広告１４０がユーザ１５１に実際に視認されたと判定する。
【００５６】
（第３構成例）  他の実施の形態に従うと、広告１４０が移動通信端末１５０のユーザに視認されることは、少なくとも一の移動表示媒体１３０と移動通信端末１５０とが予め定められた範囲内に存在していることの確認を含む。このような構成によれば、例えば、広告１４０の撮影画像が他のユーザから取得したものである場合には、コンピュータ３００は、そのような撮影画像は、移動通信端末１５０のユーザによって実際に取得されたものでないと判断する。その結果、当該撮影画像は、対価データの付与の対象から除外されるので、広告費用の増大が抑制され得る。
【００５７】
（第４構成例）  他の実施の形態に従うと、少なくとも一の移動表示媒体１３０に広告１４０を表示させるステップは、複数の移動表示媒体１３０のそれぞれに広告１４０を表示させるステップを含む。コンピュータ３００は、各移動表示媒体１３０のそれぞれに対して、広告１４０を表示するための電子データを送信する。なお、各移動表示媒体１３０に表示される広告１４０は、同一でも異なるものでもよく、あるいは、複数の広告の一部を構成するものであってもよい。
【００５８】
少なくとも一の移動表示媒体１３０からその位置情報を受信するステップは、各移動表示媒体１３０からそれぞれの位置情報を受信することを含む。位置情報を受信するタイミングは、同じでも異なってもよい。例えば、予め定められた時間ごとに、あるいは、夜間のようにデータ通信環境が良好なタイミングで、コンピュータ３００は、各移動表示媒体１３０からデータを受信し得る。
【００５９】
移動通信端末１５０から撮影画像と位置情報とを受信するステップは、各移動表示媒体１３０に表示された広告１４０の撮影画像と、当該撮影画像が取得された位置情報とをそれぞれ受信することを含む。コンピュータ３００は、各移動表示媒体１３０について、当該撮影画像と位置情報とを受信する。なお、受信するタイミングは、特に限定されない。例えば、ユーザが広告１４０を撮影した時、予め定められた時刻が到来した時、あるいは、ユーザが送信を指示した時に、移動通信端末１５０はコンピュータ３００に撮影画像と位置情報とを送信する。また、撮影画像と位置情報とは、ある局面では、同一のタイミングで送信されるが、別々のタイミングでそれぞれ送信されてもよい。
【００６０】
広告１４０が移動通信端末１５０のユーザに視認されたことの確認は、各移動表示媒体１３０に表示された全ての広告１４０がユーザに視認されたことの確認を含む。係る構成により、所謂スタンプラリーのように複数の広告１４０の視認を促すことも可能になり、宣伝広告の効果が向上し得る。
【００６１】
（第５構成例）  ある実施の形態に従うと、複数の移動表示媒体１３０のそれぞれに広告１４０を表示させるステップは、異なる広告１４０を各移動表示媒体１３０に表示させることを含む。コンピュータ３００は、さらに、異なる広告１４０のそれぞれの撮影画像の受信結果に基づいて、移動通信端末１５０に視認されている数が多い広告１４０を、移動通信端末１５０によって視認されている数が少ない広告１４０を表示していた移動表示媒体１３０に表示させるステップを実行する。
【００６２】
係る構成によれば、移動通信端末１５０のユーザによって多く視認されている広告１４０が複数の移動表示媒体１３０に表示されるように、移動表示媒体１３０における広告の表示内容を逐次変更できる。よって、広告の効果が高まり得る。
【００６３】
（第６構成例）  ある実施の形態に従うと、複数の移動表示媒体１３０のそれぞれに広告１４０を表示させるステップは、異なる広告１４０を各移動表示媒体１３０に表示させることを含む。コンピュータ３００は、異なる広告１４０のそれぞれの撮影画像が移動通信端末１５０によって視認された数に応じて、当該広告１４０の表示時間を変更するステップをさらに実行する。
【００６４】
係る構成によると、電子看板１３１に表示される広告１４０の表示時間は、広告１４０の視認回数に応じて決定され得る。例えば、一日あたりの視認回数に応じて表示時間が予め定められている場合、移動表示媒体１３０のコントローラ１３２は、コンピュータ３００からの命令に基づき、視認される頻度が多い広告の表示時間を長くする。これにより、広告の効果が高まり得る。
【００６５】
（第７構成例）  ある実施の形態に従うと、広告１４０が移動通信端末１５０のユーザに視認されたことの確認は、広告１４０の撮影画像が取得された時刻と、撮影画像を受信した時刻との差が、予め規定された範囲内であることの確認を含む。係る構成によれば、コンピュータ３００は、他のユーザによってかつて撮影された広告の画像に基づいて、移動通信端末１５０のユーザによって視認されたと判断するような誤判断を防止できる。
【００６６】
（他の構成例）  他の実施の形態に従うと、端末４００を制御するためのプログラムが提供される。このプログラムが実行されると、端末４００のＣＰＵ２０は、移動表示媒体１３０に表示されている広告１４０を撮影するステップと、広告１４０が撮影された時の端末４００の位置情報を取得するステップとを実行する。撮影のタイミングと位置情報の取得タイミングとの間隔は、予め定められた期間内である。
【００６７】
ＣＰＵ２０は、さらに、端末４００のユーザのＳＮＳのアカウントを管理するための広告管理サーバ１２０に、広告１４０の撮影画像と、広告１４０が撮影された時を表わす日時情報と、位置情報と、端末４００のユーザの識別情報とを送信して、撮影画像をアカウントに表示するステップを実行する。例えば、ユーザが移動通信端末１５０に表示される送信ボタンを押下すると、移動通信端末１５０は、撮影画像と、日時情報と、位置情報と、識別情報とをコンピュータ３００に送信する。これらのデータがＳＮＳにおける当該ユーザのアカウントにロードされると、撮影画像が当該ユーザのアカウントに表示される。
【００６８】
コンピュータ３００は、撮影画像がアカウントに表示されると、移動表示媒体１３０の位置情報と端末４００の位置情報とを参照することにより広告１４０の撮影画像がユーザによって撮影されたことを確認する。その後、ＣＰＵ２０は、その確認に基づいてコンピュータ３００から送信される対価データ、広告１４０の視認に対して付与されるように予め定められた対価のデータを広告管理サーバ１２０から受信する。
【００６９】
このような構成によれば、上記プログラムがダウンロードされてインストールされた端末４００のユーザは、広告１４０を積極的に探そうという意欲を高めるので、広告効果が高まり得る。
【００７０】
［画面の推移例］
図５を参照して、移動通信端末１５０に表示される画面の推移について説明する。図５は、移動通信端末１５０のモニタ３５に表示される画面の推移を表わす図である。広告１４０を視認したユーザが、移動通信端末１５０で広告１４０を撮影して、予め移動通信端末１５０にインストールされたアプリケーションプログラムを実行すると、ＳＮＳの画面が表示される。
【００７１】
（画面Ａ）  例えば、モニタ３５は、広告１４０によって生成された画像２４０と、撮影画像をＳＮＳのアカウントにアップロードするか否かを問い合わせるメッセージ５１０とを表示する。ユーザがその画像をＳＮＳのアカウントにアップロードする指示を移動通信端末１５０に与えると、画像２４０を表示するためのデータは、広告管理サーバ１２０に送信される。
【００７２】
（画面Ｂ）  広告管理サーバ１２０において、その画像が広告１４０を実際に撮影することにより取得された写真であることが確認されると、そのユーザに所定の報酬が支払われる。ユーザがＳＮＳのアカウントの画面を切り換えると、例えば、画面Ｂに示されるように、報酬が支払われたことを通知するメッセージ５２０がモニタ３５に表示される。
【００７３】
（画面Ｃ）  ユーザが複数の小売事業者の写真を撮影している場合には、当該事業者から付与された報酬（例えば、ポイント、クーポン、仮想通貨等）が事業者毎に表示される。例えば、ユーザが、アカウント情報を確認するための操作を行なうと、画面Ｃに示されるように、モニタ３５は、ショップＸ、レストランＹその他の小売事業者から付与された報酬を確認する画面を表示する。
【００７４】
（画面Ｄ）  別の局面において、当該ユーザのＳＮＳのアカウントにおいて表示された当該撮影画像が、そのユーザとつながりのある他のユーザによって視認された場合、あるいは、「良いね！」のような賛同を示す操作が当該撮影画像に与えられた場合、ボーナスポイントが付与されたことを知らせるメッセージ５３０が表示される。
【００７５】
（画面Ｅ）  メッセージ５３０を見たユーザが、画面Ｃを表示するための操作と同じ操作を行なうと、画面Ｅに示されるように、モニタ３５に表示される画面は、ショップＸのポイントが追加されたことを示している。
【００７６】
［データ構造］
図６を参照して、コンピュータ３００のデータ構造について説明する。図６は、コンピュータ３００のハードディスク５におけるデータの格納の一態様を概念的に表す図である。ある局面において、ハードディスク５は、テーブル６１０と、テーブル６２０とを保持する。
【００７７】
テーブル６１０は、広告を視認したユーザ１５１のデータを管理する。テーブル６１０は、ユーザ名６１１と、広告主６１２と、取得報酬６１３と、広告媒体６１４と、有効期限６１５とを含む。ユーザ名６１１は、移動通信端末１５０のユーザ１５１を表わす。広告主６１２は、移動表示媒体１３０を用いた広告１４０を希望する広告主１１０を表わす。取得報酬６１３は、ユーザが取得した報酬を表わす。取得報酬は、例えば、ポイント、割引クーポン、仮想通貨等であるが、これらに限られない。広告媒体６１４は、広告主６１２の広告を提示するために使用された媒体を表わす。有効期限６１５は、取得報酬６１３の有効期限を表わす。
【００７８】
テーブル６２０は、広告を表示した管理者のデータを管理する。テーブル６２０は、管理者６２１と、広告主６２２と、取得報酬６２３と、広告媒体６２４と、有効期限６２５とを含む。管理者６２１は、広告を表示する媒体（移動表示媒体１３０）の管理者１３５を表わす。広告主６２２は、移動表示媒体１３０を用いた広告１４０を希望する広告主１１０を表わす。取得報酬６２３は、当該管理者が取得した報酬を表わす。広告媒体６２４は、広告主６２２の広告を提示するために使用された媒体を表わす。有効期限６２５は、取得報酬６２３の有効期限を表わす。
【００７９】
［制御構造］
図７を参照して、システム１０の制御構造について説明する。図７は、広告管理サーバ１２０と移動表示媒体１３０と移動通信端末１５０とが実行する処理の一部を表わすフローチャートである。
【００８０】
ステップＳ７１０にて、広告管理サーバ１２０は、広告データを移動表示媒体１３０に送信する。
【００８１】
ステップＳ７２０にて、移動表示媒体１３０は、広告データに基づく広告１４０を電子看板１３１に表示する。
【００８２】
ステップＳ７３０にて、移動表示媒体１３０は、そのユーザの操作に基づいて、位置情報を取得し、その位置情報を広告管理サーバ１２０に送信する。
【００８３】
ステップＳ７４０にて、移動通信端末１５０は、そのユーザの操作に基づいて、移動表示媒体１３０に表示された広告１４０を撮影し、その撮影が行なわれた時の移動通信端末１５０の位置情報を取得する。
【００８４】
ステップＳ７５０にて、移動通信端末１５０は、そのユーザの操作に基づいて、広告１４０の撮影画像を（広告管理サーバ１２０にある）移動通信端末１５０のユーザのＳＮＳのアカウントにアップロードする。ＳＮＳのアカウントは、広告管理サーバ１２０の運営者である広告事業者によって、あるいは、当該ＳＮＳサービスの提供者によって管理される。
【００８５】
ステップＳ７６０にて、広告管理サーバ１２０は、移動表示媒体１３０と移動通信端末１５０とが一定の範囲内に存在していたか否かを判断する。広告管理サーバ１２０は、移動表示媒体１３０と移動通信端末１５０とが一定の範囲内に存在していたと判断すると（ステップＳ７６０にてＹＥＳ）、制御をステップＳ７７０に切り換える。そうでない場合には（ステップＳ７６０にてＮＯ）、広告管理サーバ１２０は、処理を終了する。
【００８６】
ステップＳ７７０にて、広告管理サーバ１２０は、広告１４０が移動通信端末１５０のユーザによって実際に視認されたと判断する。
【００８７】
ステップＳ７８０にて、広告管理サーバ１２０は、移動表示媒体１３０の管理者のアカウントおよび移動通信端末１５０のユーザのアカウントに、予め定められた報酬を付与する。付与される報酬は、例えば、ポイント、割引クーポン、仮想通貨等である。その後、広告管理サーバ１２０は、報酬が付与されたことを当該管理者およびユーザに通知する。
【００８８】
［システムの動作例］
（ケース１）  移動表示媒体：移動通信端末＝１：１の場合
図１および図８を参照して、ある局面に従うシステム１０の具体的な動作例について説明する。システム１０は、広告管理サーバ１２０と、移動表示媒体１３０の一例である車両８３０と、移動通信端末１５０とによって構成される。図８は、広告管理サーバ１２０と、車両８３０と、移動通信端末１５０との動作を表わす図である。
【００８９】
図１に示されるように、ある局面において、広告主１１０は、広告サービスおよびＳＮＳを提供する広告管理サーバ１２０を通じて、広告１４０を表示する移動表示媒体１３０と広告を閲覧した移動通信端末１５０のユーザ１５１を探すことが可能である。広告１４０を表示する移動表示媒体１３０と移動通信端末１５０とが、いずれも位置情報を提供する仕組みを持ち、広告管理サーバ１２０は、広告の閲覧に関する認証にＳＮＳを用いる。
【００９０】
まず、電子看板１３１を掲載する車載端末その他の移動表示媒体１３０の管理者は、それぞれが好みに応じて掲載する広告を選択し得る。移動表示媒体１３０は、ＧＰＳモジュールその他の測位デバイスを備え、当該測位デバイスを用いて位置情報を検出できる。
【００９１】
移動通信端末１５０のユーザ１５１は、広告１４０を撮影し、ＳＮＳの提供者、例えば、広告管理サーバ１２０に広告１４０の撮影画像をアップロードする。このとき、移動通信端末１５０は、測位モジュールにより取得された移動通信端末１５０の位置情報もサーバに送信する。サーバは、受信したデータを用いて撮影画像を解析して車両の位置情報を調べ、移動表示媒体１３０を特定する。サーバは、移動表示媒体１３０と移動通信端末１５０のユーザ１５１の双方が予め規定された範囲に存在していたことを確認すると、移動表示媒体１３０の管理者と移動通信端末１５０のユーザ１５１に対して対価を支払う。
【００９２】
次に、図８を参照して、移動表示媒体１３０が車両８３０である場合について説明する。車両８３０は通信機能を有し、インターネットその他のネットワークに接続可能である。広告主１１０は、広告管理サーバ１２０に広告を依頼する。広告管理サーバ１２０は、広告データを車両８３０に送信する。車両８３０は、広告データを用いて車両８３０のボディの外部に取り付けられた電子看板１３１に広告主１１０の広告８３２を表示する。電子看板１３１は例えば、プラズマディスプレイ、ＬＣＤ（Liquid  Crystal  Display）、ＬＥＤ（Light  Emitting  Diode）、蛍光表示管等によって実現される。車両８３０はＧＰＳ信号を受信し、その位置情報を取得する。車両８３０は、その位置情報と車両８３０の識別情報とを広告管理サーバ１２０に送信する。位置情報は、例えば、予め定められた時間ごとに、車両８３０の管理者８３１の指示に基づいて、あるいは、広告管理サーバ１２０のリクエストに基づいて、広告管理サーバ１２０に送信される。位置情報は、車両８３０の位置座標値と、当該座標値が取得された日時データとを含む。
【００９３】
（ステップＳ８１０）  ユーザ１５１は、交差点に停止している車両８３０を見ると、広告８３２を認識する。ユーザ１５１が移動通信端末１５０を操作して広告８３２を撮影すると、移動通信端末１５０は、モニタ３５にその画像を表示する。移動通信端末１５０は、４つ以上のＧＰＳ信号を受信し、受信した信号を用いてその位置情報を取得できる。
【００９４】
（ステップＳ８２０）  ユーザ１５１が、撮影した広告の画像を自身のＳＮＳのアカウントにアップロードするための操作を行なうと、画像データと、移動通信端末１５０の位置情報および識別情報とは、広告管理サーバ１２０に送信される。
【００９５】
（ステップＳ８３０）  広告管理サーバ１２０は、車両８３０から受信した位置情報に含まれる日時データと、移動通信端末１５０から受信した位置情報に含まれる日時データとに基づいて、移動通信端末１５０から送られた画像データが移動通信端末１５０による撮影によって取得されたものであるか否かを判定する。例えば、移動通信端末１５０から送られた画像データが他の情報通信端末によって別の場所で別の日時に取得された場合、移動表示媒体１３０から受信した位置情報または日時データと、移動通信端末１５０から受信した位置情報または日時データとが一致しないことになるため、広告管理サーバ１２０は、当該画像データが移動通信端末１５０によって正規に取得されたものではないと判断する。
【００９６】
（ステップＳ８４０）  広告管理サーバ１２０は、移動通信端末１５０のユーザ１５１に対して、広告８３２を視認したことに対する報酬を支払う。例えば、広告管理サーバ１２０は、ユーザ１５１のＳＮＳのアカウントに、報酬に相当するポイント、クーポン、仮想通貨等のデータを関連付ける。
【００９７】
（ステップＳ８５０）  広告管理サーバ１２０は、車両８３０の管理者８３１に対して、車両８３０に表示された広告８３２がユーザ１５１によって視認されたことに対する報酬を支払う。例えば、広告管理サーバ１２０は、管理者８３１のＳＮＳのアカウントあるいは広告を管理するためのアカウントに、報酬に相当するポイント、クーポン、仮想通貨等を付与する。
【００９８】
ある局面によると、「移動表示媒体１３０に表示された広告１４０が、移動通信端末１５０のユーザ１５１によって閲覧され、そのユーザによってＳＮＳに掲載された」という事実が広告管理サーバ１２０によって提供される。広告管理サーバ１２０は、実際に広告が閲覧されたかどうかを確認し、広告が閲覧されたことに基づいて、移動表示媒体１３０やユーザ１５１に報酬を支払う。その結果、閲覧されない広告に対する宣伝費用が抑制されるとともに、広告主１１０は、効果的な広告を期待できる。
【００９９】
また、これまで広域的に行われていた広告の宣伝場所が、ごく限られた場所に制限され得る。その結果、その場所の局所的な情報を広告の対象とし、広告の効果をＳＮＳによって確認できることは、広告主１１０が提供する製品やサービスに対する潜在的な需要の予測にも役立つ。
【０１００】
（ケース２）  移動表示媒体：移動通信端末＝ｎ：１の場合
他の例として、複数（＝ｎ）の移動表示媒体１３０が使用される場合がある。この場合、各移動表示媒体１３０は、ある局面において広告主１１０の同一の広告を表示し、別の局面において別個の広告を表示することもあり得る。例えば、車両８３０と車両８３３とが連携して広告を提供している場合には、広告管理サーバ１２０は、移動通信端末１５０のユーザ１５１が同時に又は連続して閲覧したことを認識できる。例えば、広告管理サーバ１２０は、スタンプラリーのように、広告１４０を作成してもよい。この場合、電子看板１３１に表示される広告１４０は、移動表示媒体１３０の識別情報を電子看板１３１の一部に含んでもよい。これにより、広告１４０が視認された移動表示媒体１３０を特定しやすくなるので、広告管理サーバ１２０は、複数の移動表示媒体１３０の各々に提示される広告１４０が一通り視認されたか否かを容易に判定できる。
【０１０１】
そこで、図９を参照して、本開示に係るシステムの他の例について説明する。図９は、ユーザ１５１が複数の車両のそれぞれにおいて広告主１１０による広告を視認した場合の態様を表わす図である。
【０１０２】
ある局面において、ある広告主１１０の広告が、複数の移動表示媒体１３０で表示されることがある。このとき、ユーザ１５１は、同じ広告を異なる移動表示媒体１３０で視認する場合がある。そこで、このような場合に、ユーザ１５１により多くの報酬を支払うことも考えられる。例えば、同一の広告を視認した移動表示媒体１３０の数に応じて、報酬が増額されてもよい。
【０１０３】
一例として、ユーザ１５１が車両８３０を視認し、その後、車両８３３を視認する場合がある。車両８３０は管理者８３１によって管理され、車両８３３は管理者８３４によって管理されている。なお、管理者８３０と管理者８３１とは、同一でも異なっていてもよい。この場合、ユーザ１５１は、車両８３０に表示される広告８３２を移動通信端末１５０で撮影し（ステップＳ８１０）、その後、車両８３３に表示される広告８３５を移動通信端末１５０で撮影する（ステップＳ８１１）。広告８３２と広告８３５とは同じでも異なっていてもよい。これらの広告が異なる場合には、各広告の識別情報が当該広告に関連付けられていてもよい。移動通信端末１５０は、撮影によって取得された二つの画像と位置情報と識別情報とを広告管理サーバ１２０に送信する（ステップＳ８２０，Ｓ８２１）。広告管理サーバ１２０は、車両８３０および車両８３３から送られる位置情報と、移動通信端末１５０から送られた位置情報とに基づいて、各画像が移動通信端末１５０のユーザ１５１によって撮影された画像であるか否かを判定する（ステップＳ８３０）。
【０１０４】
移動通信端末１５０から送られた画像が、実際に移動通信端末１５０のユーザ１５１の撮影によって取得された画像である場合には、広告管理サーバ１２０は、ユーザ１５１に、前述のような報酬を支払う。このとき、広告管理サーバ１２０は、広告８３２が複数回視認されたことに基づき、ユーザ１５１にその回数に応じた報酬を支払う（ステップＳ８４０）。また、広告管理サーバ１２０は、車両８３０の管理者８３１に対して、広告８３２が視認されたことに対する報酬を支払い（ステップＳ８５０）、車両８３３の管理者８３４に対して、広告８３５が視認されたことに対する報酬を支払う（ステップＳ８５１）。
【０１０５】
このような構成によれば、所謂スタンプラリーのように、同一の広告を見つけようとする動機がユーザ１５１にもたらされるので、宣伝広告効果も高まり得る。例えば、広告主１１０が複数の支店を有する場合、あるいは、広告主１１０が様々なバリエーションの商品やサービスを提供している場合、広告管理サーバ１２０は、広告１４０が視認されたことを表わす多くのデータを取得できるので、広告主１１０は、商品やサービスごとに広告の効果を確認することができる。その結果、広告管理サーバ１２０は、広告閲覧者としてのユーザ１５１によって認識される数に応じて、報酬を移動表示媒体１３０の管理者やユーザ１５１に支払うことが可能となる。その結果、ユーザ１５１が広告主１１０が提供する商品やサービスを利用する可能性も高まり、また、集客力の観点からも費用対効果の高い広告が提供できる。
【０１０６】
（ケース３）  移動表示媒体：移動通信端末＝１：ｍの場合
別の局面において、各移動表示媒体１３０および各移動通信端末１５０の移動履歴および視認履歴が広告管理サーバ１２０によって管理されてもよい。例えば、移動表示媒体１３０の位置情報および移動表示媒体１３０において表示された広告１４０と、移動通信端末１５０の位置情報および広告１４０の画像が取得された日時とが広告管理サーバ１２０に集約されてもよい。これらの情報は、例えば、時系列的に集約され、集約された情報は、ビッグデータの一つとして、統計処理の対象となり得る。
【０１０７】
そこで、図１０を参照して、さらに他の例について説明する。図１０は、複数の移動表示媒体１３０にそれぞれ表示される広告が複数の移動通信端末１５０によって視認される態様を表わす図である。
【０１０８】
ある局面において、移動表示媒体１３０に表示される広告８３２が複数（＝ｍ）のユーザによって視認される場合がある。この場合、視認するユーザの数が多いほど、当該広告８３２の効果が高いともいえる。そこで、広告管理サーバ１２０は、広告８３２を視認したユーザの数に応じた報酬を移動表示媒体１３０の管理者に支払ってもよい。
【０１０９】
一例として、移動通信端末１５０のユーザ１５１および移動通信端末１５２のユーザ１５３が、それぞれ、車両８３０に表示された広告８３２を視認する場合について説明する。この場合、ユーザ１５１が広告８３２を撮影し（ステップＳ８１０）、ユーザ１５３も広告８３２を撮影する（ステップＳ８１２）。なお、ユーザ１５１が広告８３２を撮影する場所と、ユーザ１５３が広告８３２を撮影する場所は、同じであってもよいし、異なってもよい。ユーザ１５１が広告８３２を撮影すると、その撮影によって取得された画像は、移動通信端末１５０によって、その位置情報とともに、広告管理サーバ１２０にアップロードされる（ステップＳ８２０）。ユーザ１５３が広告８３２を撮影すると、その撮影によって取得された画像は、移動通信端末１５２によって、その位置情報とともに、広告管理サーバ１２０にアップロードされる（ステップＳ８２２）。車両８３０は、前述の場合と同様に、予め定められたタイミングで、または、予め定められた場所に存在している場合もしくは広告管理サーバ１２０の要求に応答して、車両８３０の位置情報を広告管理サーバ１２０に送信する。
【０１１０】
広告管理サーバ１２０は、車両８３０から受信した位置情報および移動通信端末１５０および移動通信端末１５２からそれぞれ受信した位置情報に基づいて、移動通信端末１５０および移動通信端末１５２によってそれぞれ送信された画像が、ユーザ１５１またはユーザ１５３の撮影によって正規に取得されたものであるか否かを判断する。この判断は、図８に示される場合と同様に、各移動通信端末ごとに行なわれる。いずれの移動通信端末から送信された画像も、そのユーザの撮影によって正規に取得されたものである場合、広告管理サーバ１２０は、広告８３２による宣伝の効果が高いと判断し、広告８３２を視認した移動通信端末の数に応じて、車両８３０に対する報酬を増額する。
【０１１１】
このような構成によれば、集約された情報は、潜在的な顧客の調査に使用できる。例えば、従来の広告においてクーポン等が配布された場合には来店されて初めて広告の結果が確認できるが、上記の構成によれば、広告管理サーバ１２０は、来店までは至らなかったユーザ１５１の存在を知ることもできる。広告管理サーバ１２０は、そのことに基づいて、来店を促す次の広告の立案に使用できるので、徐々に広告効果を高めることもできる。
【０１１２】
（ケース４）  移動表示媒体：移動通信端末＝ｎ：ｍの場合
複数の移動表示媒体１３０が広告１４０をそれぞれ表示し、複数の移動通信端末１５０の各ユーザが当該広告１４０を撮影して、ＳＮＳのアカウントに画像や位置情報をアップロードする場合も実現され得る。例えば、広告管理サーバ１２０が、ユーザ毎に広告１４０の視認状況を確認する場合は、前述の移動表示媒体：移動通信端末＝ｎ：１の場合（ケース２）に該当する。また、広告管理サーバ１２０が、移動表示媒体毎にユーザによる視認状況を確認する場合は、前述の移動表示媒体：移動通信端末＝１：ｍの場合（ケース３）に該当する。したがって、複数の移動表示媒体１３０がそれぞれ広告１４０を表示する場合において、各広告１４０が複数の移動通信端末１５０に視認されるとき、ケース２およびケース３を組み合わせることにより、各広告の視認状況に応じた適正な報酬の付与が可能となり、また、ユーザ１５１の各視認実績およびその後の来店実績の有無に基づき、当該ユーザに応じた適切な宣伝活動を促進することができる。
【０１１３】
以上のようにして、ある実施の形態によれば、デジタルサイネージによる広告１４０が移動表示媒体１３０で実現され、広告１４０の撮影画像が、広告１４０を視認したユーザによってＳＮＳにアップロードされる。広告１４０を表示する移動表示媒体１３０の場所と、広告１４０の撮影画像が取得された場所（移動通信端末１５０の位置情報）とに基づいて、広告１４０が実際に視認されたか否かが認証される。その結果、広告１４０の効果が高まり得る。また、ユーザがＳＮＳのアカウントに撮影画像をアップロードすることにより、広告１４０を実際に視認したことが確認できるので、広告１４０の視認履歴は、個人ベースの宣伝広告にも貢献し得る。
【０１１４】
また、例えば移動表示媒体１３０が路線バスによって実現される場合、広告の範囲が路線バスの運行経路に限られるので、不特定多数に向けた全国版の広告とは異なりローカルな地域に限定された広告を実現することができる。その結果、広告費用の増大を抑制できる。
【０１１５】
本開示に係る技術思想は、例えば、車両その他の移動体に搭載されるデジタルサイネージ、一定の場所に設置されるデジタルサイネージ、ＳＮＳ、スマートフォン、パーソナルコンピュータ、カーナビゲーションシステム、スマートウォッチ、タブレット端末その他の情報通信端末であって、少なくとも、モニタと位置情報取得機能とを備える機器を用いたシステムに適用可能である。
【０１１６】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０１１７】
１５０，１５２  移動通信端末、１５１，１５３  ユーザ、２１０，６１１  ユーザ名、２２０  撮影日時、２３０  撮影場所、２４０  画像、２５０，２６０，２７０  コメント、４００  端末、５１０，５２０，５３０  メッセージ、６１０，６２０  テーブル、８３０，８３３  車両、８３１，８３４  管理者。
【図１】
2018200616.tif 000003
【図２】
2018200616.tif 000004
【図３】
2018200616.tif 000005
【図４】
2018200616.tif 000006
【図５】
2018200616.tif 000007
【図６】
2018200616.tif 000008
【図７】
2018200616.tif 000009
【図８】
2018200616.tif 000010
【図９】
2018200616.tif 000011
【図１０】
2018200616.tif 000012